(57)【要約】【課題】サーバの負担が過度に増大することに起因して映像装置のユーザに適切なタイミングで情報を提供されなくなるのを抑制しながら、有害な情報のフィルタリングを行うことが可能な映像装置を提供する。【解決手段】このテレビジョン装置１０（映像装置）は、複数のユーザにより投稿されるコメント情報を格納するコメント情報サーバ５０にインターネット４０を介して接続される通信部１２と、コメント情報サーバ５０に格納されたコメント情報をコメント情報サーバ５０から通信部１２を介して取得するとともに、取得したコメント情報および映像を表示可能な表示部１４の表示内容を制御するＣＰＵ１３とを備え、ＣＰＵ１３は、取得したコメント情報が有害な文字情報を含むか否かを判断するとともに、判断結果に基づいて、取得したコメント情報の表示部１４への表示を制限するように構成されている。【選択図】図１
2012175118.tif 000002
【特許請求の範囲】
【請求項１】
複数のユーザにより投稿されるコメント情報を格納するコメント情報サーバにネットワークを介して接続される通信部と、
前記コメント情報サーバに格納されたコメント情報を前記コメント情報サーバから前記通信部を介して取得するとともに、取得した前記コメント情報および映像を表示可能な表示部の表示内容を制御する制御部とを備え、
前記制御部は、前記取得したコメント情報が有害な文字情報を含むか否かを判断するとともに、判断結果に基づいて、前記取得したコメント情報の前記表示部への表示を制限するように構成されている、映像装置。
【請求項２】
前記制御部は、前記有害な文字情報が複数登録された有害文字情報データベースに基づいて、前記コメント情報サーバから取得されたコメント情報が前記有害な文字情報を含むか否かを判断するように構成されている、請求項１に記載の映像装置。
【請求項３】
前記通信部は、前記有害文字情報データベースを格納する有害文字情報サーバにネットワークを介して接続されており、
前記制御部は、前記有害文字情報データベースを前記有害文字情報サーバから前記通信部を介して取得するとともに、取得した前記有害文字情報データベースに基づいて、前記コメント情報サーバから取得されたコメント情報が前記有害な文字情報を含むか否かを判断するように構成されている、請求項２に記載の映像装置。
【請求項４】
前記有害文字情報サーバから取得された前記有害文字情報データベースを記憶する記憶部をさらに備え、
前記制御部は、前記有害文字情報データベースを前記有害文字情報サーバから前記通信部を介して定期的に取得することにより、前記記憶部に記憶された前記有害文字情報データベースを定期的に更新するように構成されている、請求項３に記載の映像装置。
【請求項５】
前記コメント情報サーバから取得されたコメント情報は、複数の前記コメント情報を含み、
前記制御部は、前記コメント情報サーバから取得された前記複数のコメント情報を順次切り替えながら前記表示部に表示させる制御を行うことが可能なように構成されているとともに、前記表示部に現在表示されているコメント情報を切り替える際において、次に前記表示部に表示させるコメント情報が前記有害な文字情報を含むと判断した場合には、前記有害な文字情報を含むコメント情報を前記表示部に表示させない一方、次に前記表示部に表示させるコメント情報が前記有害な文字情報を含まないと判断した場合には、前記有害な文字情報を含まないコメント情報を前記表示部に表示させる制御を行うように構成されている、請求項１〜４のいずれか１項に記載の映像装置。
【請求項６】
複数のユーザにより投稿されるコメント情報を格納するコメント情報サーバにネットワークを介して接続される通信部と、
テレビジョン放送を受信する放送受信部と、
前記コメント情報サーバに格納されたコメント情報を前記コメント情報サーバから前記通信部を介して取得するとともに、取得した前記コメント情報および前記テレビジョン放送を表示可能な表示部の表示内容を制御する制御部とを備え、
前記制御部は、前記取得したコメント情報が有害な文字情報を含むか否かを判断するとともに、判断結果に基づいて、前記取得したコメント情報の前記表示部への表示を制限するように構成されている、テレビジョン装置。
【発明の詳細な説明】
【技術分野】
【０００１】
この発明は、映像装置およびテレビジョン装置に関し、特に、サーバから取得した情報および映像を表示部に表示可能な映像装置およびテレビジョン装置に関する。
【背景技術】
【０００２】
従来、サーバから取得した情報および映像を表示部に表示可能な映像装置が知られている。このような従来の映像装置では、表示部に有害な情報が表示されるのを制限するために、有害な情報のフィルタリングを行うことが望まれている。
【０００３】
一方、従来では、電子掲示板に掲載禁止用語が掲示されるのを抑制する（有害な情報のフィルタリングを行う）ことが可能な電子掲示板システムが知られている（たとえば、特許文献１参照）。この特許文献１に記載の掲示板システムでは、掲示板の利用者（ユーザ）により投稿された文章（情報）が掲載禁止用語（有害な情報）を含むか否かが電子掲示板を提供するＷＥＢサーバ（サーバ）によりチェックされる。そして、ＷＥＢサーバによるチェックの結果、掲示板の利用者により投稿された文章が掲載禁止用語を含むと判断された場合には、その文章は電子掲示板に掲示されない。このように、上記特許文献１に記載の掲示板システムでは、ＷＥＢサーバによるチェックの結果に基づいて、有害な情報のフィルタリングが行われる。
【０００４】
上記特許文献１に記載のフィルタリング技術を、サーバから取得した情報および映像を表示部に表示可能な従来の映像装置に適用することが考えられる。
【先行技術文献】
【特許文献】
【０００５】
【特許文献１】特開２００７−２５７３４６号公報
【発明の概要】
【発明が解決しようとする課題】
【０００６】
しかしながら、サーバから取得した情報および映像を表示部に表示可能な従来の映像装置に上記特許文献１に記載のフィルタリング技術を適用する場合では、不特定多数の投稿者により投稿された全ての情報の内容をサーバにチェックさせるため、サーバの負担が過度に増大し、その結果、映像装置のユーザに適切なタイミングで情報を提供することが困難になるという問題点がある。
【０００７】
この発明は、上記のような課題を解決するためになされたものであり、この発明の１つの目的は、サーバの負担が過度に増大することに起因して映像装置のユーザに適切なタイミングで情報が提供されなくなるのを抑制しながら、有害な情報のフィルタリングを行うことが可能な映像装置を提供することである。
【課題を解決するための手段および発明の効果】
【０００８】
この発明の第１の局面による映像装置は、複数のユーザにより投稿されるコメント情報を格納するコメント情報サーバにネットワークを介して接続される通信部と、コメント情報サーバに格納されたコメント情報をコメント情報サーバから通信部を介して取得するとともに、取得したコメント情報および映像を表示可能な表示部の表示内容を制御する制御部とを備え、制御部は、取得したコメント情報が有害な文字情報を含むか否かを判断するとともに、判断結果に基づいて、取得したコメント情報の表示部への表示を制限するように構成されている。
【０００９】
この発明の第１の局面による映像装置では、上記のように、制御部を、コメント情報サーバから取得したコメント情報が有害な文字情報を含むか否かを判断するとともに、判断結果に基づいて、取得したコメント情報の表示部への表示を制限するように構成する。これにより、映像装置に設けられている制御部によって、有害な文字情報を含むコメント情報が表示部に表示されるのを制限することができるので、不特定多数の投稿者により投稿された全ての情報の内容をサーバにチェックさせる場合と異なり、サーバの負担が過度に増大することに起因して映像装置のユーザに適切なタイミングで情報が提供されなくなるのを抑制しながら、有害な情報のフィルタリングを行うことができる。また、この映像装置の制御部による有害な情報のフィルタリングは、サーバに投稿された情報の全てではなく、サーバから取得した情報のみを対象として行われるので、映像装置の制御部の負担が過度に増大することを抑制することもできる。
【００１０】
上記第１の局面による映像装置において、好ましくは、制御部は、有害な文字情報が複数登録された有害文字情報データベースに基づいて、コメント情報サーバから取得されたコメント情報が有害な文字情報を含むか否かを判断するように構成されている。このように構成すれば、有害文字情報データベースにより、コメント情報サーバから取得されたコメント情報が有害な文字情報を含むか否かを容易に判断することができるので、有害な情報のフィルタリングを容易に行うことができる。
【００１１】
この場合、好ましくは、通信部は、有害文字情報データベースを格納する有害文字情報サーバにネットワークを介して接続されており、制御部は、有害文字情報データベースを有害文字情報サーバから通信部を介して取得するとともに、取得した有害文字情報データベースに基づいて、コメント情報サーバから取得されたコメント情報が有害な文字情報を含むか否かを判断するように構成されている。このように構成すれば、有害文字情報データベースを有害文字情報サーバから通信部を介して取得することにより、有害文字情報データベースを手動で作成する場合と異なり、有害文字情報データベースを容易に入手することができる。
【００１２】
上記通信部が有害文字情報サーバに接続されている映像装置において、好ましくは、有害文字情報サーバから取得された有害文字情報データベースを記憶する記憶部をさらに備え、制御部は、有害文字情報データベースを有害文字情報サーバから通信部を介して定期的に取得することにより、記憶部に記憶された有害文字情報データベースを定期的に更新するように構成されている。このように構成すれば、記憶部に記憶された有害文字情報データベースが定期的に更新されるので、有害文字情報データベースの内容が変化した場合であっても、その変化に対応した有害文字情報データベースを入手することができる。
【００１３】
上記第１の局面による映像装置において、好ましくは、コメント情報サーバから取得されたコメント情報は、複数のコメント情報を含み、制御部は、コメント情報サーバから取得された複数のコメント情報を順次切り替えながら表示部に表示させる制御を行うことが可能なように構成されているとともに、表示部に現在表示されているコメント情報を切り替える際において、次に表示部に表示させるコメント情報が有害な文字情報を含むと判断した場合には、有害な文字情報を含むコメント情報を表示部に表示させない一方、次に表示部に表示させるコメント情報が有害な文字情報を含まないと判断した場合には、有害な文字情報を含まないコメント情報を表示部に表示させる制御を行うように構成されている。このように構成すれば、コメント情報サーバから取得された複数のコメント情報が順次切り替わりながら表示部に表示される際に、有害な文字情報を含むコメント情報は表示部に表示されない一方、有害な文字情報を含まないコメント情報は表示部に表示されるので、コメント情報サーバから取得された複数のコメント情報のうち、有害な文字情報を含まないコメント情報のみを順次視覚的に認識することができる。
【００１４】
この発明の第２の局面によるテレビジョン装置は、複数のユーザにより投稿されるコメント情報を格納するコメント情報サーバにネットワークを介して接続される通信部と、テレビジョン放送を受信する放送受信部と、コメント情報サーバに格納されたコメント情報をコメント情報サーバから通信部を介して取得するとともに、取得したコメント情報およびテレビジョン放送を表示可能な表示部の表示内容を制御する制御部とを備え、制御部は、取得したコメント情報が有害な文字情報を含むか否かを判断するとともに、判断結果に基づいて、取得したコメント情報の表示部への表示を制限するように構成されている。
【００１５】
この発明の第２の局面によるテレビジョン装置では、上記のように、制御部を、コメント情報サーバから取得したコメント情報が有害な文字情報を含むか否かを判断するとともに、判断結果に基づいて、取得したコメント情報の表示部への表示を制限するように構成する。これにより、テレビジョン装置に設けられている制御部によって、有害な文字情報を含むコメント情報が表示部に表示されるのを制限することができるので、不特定多数の投稿者により投稿された全ての情報の内容をサーバにチェックさせる場合と異なり、サーバの負担が過度に増大することに起因してテレビジョン装置のユーザに適切なタイミングで情報が提供されなくなるのを抑制しながら、有害な情報のフィルタリングを行うことができる。また、この映像装置の制御部による有害な情報のフィルタリングは、サーバに投稿された情報の全てではなく、サーバから取得した情報のみを対象として行われるので、映像装置の制御部の負担が過度に増大することを抑制することもできる。
【図面の簡単な説明】
【００１６】
【図１】本発明の一実施形態によるテレビジョン装置の構成を示したブロック図である。
【図２】本発明の一実施形態によるテレビジョン装置の表示部にコメント情報が１つずつ切り替わりながら表示される際の表示画面の遷移を示した図である。
【図３】本発明の一実施形態によるテレビジョン装置の表示部にコメント情報の切替表示が行われる際におけるＣＰＵの制御動作を説明するためのフローチャートである。
【図４】本発明の一実施形態によるテレビジョン装置のメモリに有害文字情報データベースの記憶（更新）が行われる際におけるＣＰＵの制御動作を説明するためのフローチャートである。
【図５】本発明の一実施形態の変形例によるＢＤ（Ｂｌｕ−Ｒａｙ  Ｄｉｓｃ）プレーヤの構成を示したブロック図である。
【発明を実施するための形態】
【００１７】
以下、本発明の実施形態を図面に基づいて説明する。
【００１８】
まず、図１および図２を参照して、本発明の一実施形態によるテレビジョン装置１０の構成について説明する。なお、テレビジョン装置１０は、本発明の「映像装置」の一例である。
【００１９】
本発明の一実施形態によるテレビジョン装置１０は、図１に示すように、放送受信部１１と、通信部１２と、ＣＰＵ１３と、表示部１４と、映像出力部１５と、リモコン受信部１６と、リモコン１７と、メモリ１８とを備えている。なお、ＣＰＵ１３は、本発明の「制御部」の一例である。また、メモリ１８は、本発明の「記憶部」の一例である。
【００２０】
放送受信部１１は、アンテナ２０を介してテレビジョン放送を受信するように構成されている。また、通信部１２は、ルータ３０およびインターネット４０を介してコメント情報サーバ５０に接続されている。なお、インターネット４０は、本発明の「ネットワーク」の一例である。
【００２１】
ここで、コメント情報サーバ５０とは、複数のユーザ（投稿者）が通信端末（たとえば、ＰＣやスマートフォンなど）を用いてインターネット４０を介して投稿したコメント情報を格納するサーバである。なお、コメント情報とは、投稿者がコメント情報サーバ５０に投稿したコメントの内容を示すコメント本文や、そのコメントを投稿した投稿者の名前（投稿者名）や、コメントがコメント情報サーバ５０に投稿された時刻と現在時刻との差分時間などを含む情報データである。
【００２２】
本実施形態では、コメント情報サーバ５０は、複数の投稿者によりコメント情報サーバ５０に投稿された複数のコメント情報をランダムに抽出する機能を有している。このようなコメント情報サーバ５０の一例として、たとえば、ｔｗｉｔｔｅｒ（登録商標）サーバが挙げられる。ｔｗｉｔｔｅｒ（登録商標）サーバでは、上記のようなコメント情報（ツイート）をランダムに抽出する機能として、「ｐｕｂｌｉｃ  ｔｉｍｅｌｉｎｅ」という機能が実装されている。
【００２３】
また、本実施形態では、通信部１２は、ルータ３０およびインターネット４０を介して有害文字情報サーバ６０に接続されている。なお、有害文字情報サーバ６０とは、有害な文字情報（たとえば、性的または暴力的な内容を示す文字（文言）に関する情報データ）が複数登録された有害文字情報データベース６１を格納するサーバである。
【００２４】
ＣＰＵ１３は、表示部１４の表示内容の制御を行うなど、テレビジョン装置１０の各部の制御を行うことが可能なように構成されている。たとえば、ＣＰＵ１３は、放送受信部１１により受信されたテレビジョン放送（映像）を映像出力部１５を介して表示部１４に出力することにより、表示部１４にテレビジョン放送を表示再生させることが可能なように構成されている。なお、テレビジョン放送は、略矩形形状を有する表示部１４の略全面に設けられる映像表示領域１４１（図２参照）の内部で表示再生される。
【００２５】
リモコン受信部１６は、リモコン１７からの信号を受信するように構成されている。このリモコン受信部１６により受信された信号は、ＣＰＵ１３に送信される。これにより、テレビジョン装置１０のユーザは、リモコン１７の操作（十字キー１７ａや決定キー１７ｂなどを用いた選択決定操作）を行うことによって、テレビジョン装置１０全体の制御を行うことができる。たとえば、テレビジョン装置１０のユーザは、リモコン１７を操作することにより、テレビジョン装置１０（ＣＰＵ１３）の後述する映像とコメント情報とを共に表示部１４に表示させる機能（以下、コメント表示機能と呼ぶ）を呼び出したり、終了させたりすることができる。
【００２６】
本実施形態では、ＣＰＵ１３は、テレビジョン装置１０のユーザによるリモコン１７の操作によってコメント表示機能が呼び出された場合に、複数（たとえば、２０個）のコメント情報を通信部１２を介してコメント情報サーバ５０から所定の時間間隔（たとえば、２分間隔）で取得するように構成されている。また、ＣＰＵ１３は、上記コメント情報サーバ５０から取得した複数のコメント情報を投稿時刻の古い順に１つずつ順次切り替えながらテレビジョン放送（映像）と共に表示部１４に表示させる（図２参照）ことが可能なように構成されている。なお、コメント情報は、表示部１４の下側（矢印Ｙ１方向側）の端部に左右方向（Ｘ方向）に延びるように設けられるコメント情報表示領域１４２（図２参照）の内部で順次切り替わりながら表示される。
【００２７】
上記のようにコメント情報が映像と共に表示部１４に表示される際では、図２（ａ）および（ｃ）に示すように、コメント情報表示領域１４２の内部には、投稿者名（投稿者Ｓ、投稿者Ｍ）、コメント本文（Ｈｅｌｌｏ、こんにちは）および差分時間（４分前、２分前）が表示される吹き出し１４２ａと、吹き出し１４２ａに表示される投稿者名に対応する画像（アイコン）からなる投稿者アイコン１４２ｂとが表示される。投稿者アイコン１４２ｂは、コメント情報表示領域１４２の内部の左側（矢印Ｘ１方向側）の端部に表示される。また、吹き出し１４２ａは、コメント情報表示領域１４２の内部の投稿者アイコン１４２ｂの右側（矢印Ｘ２方向側）に表示される。なお、これら吹き出し１４２ａおよび投稿者アイコン１４２ｂは、図２（ｂ）に示すように、コメント情報表示領域１４２に表示されるコメント情報が切り替わる際に、一旦非表示となるように構成されている。
【００２８】
また、コメント情報表示領域１４２は、映像表示領域１４１に重なるように表示される。このコメント情報表示領域１４２の内部の吹き出し１４２ａおよび投稿者アイコン１４２ｂが表示された部分以外の部分は、透過処理されており、映像表示領域１４１で表示再生されている映像を表示可能なように構成されている。これにより、映像表示領域１４１で表示再生されている映像の視聴がコメント情報表示領域１４２により妨げられるのが抑制される。
【００２９】
ここで、本実施形態では、ＣＰＵ１３は、コメント情報を表示部１４のコメント情報表示領域１４２に表示させる際に、そのコメント情報が有害な文字情報を含むか否かを判断するように構成されている。また、ＣＰＵ１３は、上記コメント情報が有害な文字情報を含むか否かの判断結果に基づいて、コメント情報の表示部１４への表示を制限するように構成されている。
【００３０】
具体的には、ＣＰＵ１３は、表示部１４に現在表示されているコメント情報を切り替える際において、次に表示部１４に表示させるコメント情報が有害な文字情報を含むと判断した場合には、その有害な文字情報を含むコメント情報を表示部１４に表示させない一方、次に表示部１４に表示させるコメント情報が有害な文字情報を含まないと判断した場合には、その有害な文字情報を含まないコメント情報を表示部１４に表示させる制御を行うように構成されている。
【００３１】
また、本実施形態では、ＣＰＵ１３は、上記コメント情報が有害な文字情報を含むか否かの判断を、有害な文字情報が複数登録された有害文字情報データベース６１に基づいて行うように構成されている。具体的には、ＣＰＵ１３は、有害文字情報データベース６１を有害文字情報サーバ６０から通信部１２を介して取得するとともに、取得した有害文字情報データベース６１に基づいて、上記コメント情報が有害な文字情報を含むか否かを判断するように構成されている。
【００３２】
なお、ＣＰＵ１３により有害文字情報サーバ６０から取得された有害文字情報データベース６１は、メモリ１８に記憶される。このメモリ１８には、有害文字情報サーバ６０から取得された有害文字情報データベース６１やコメント情報サーバ５０から取得されたコメント情報などの種々のデータの他、ＣＰＵ１３により実行される種々のプログラムなどが記憶される。本実施形態では、ＣＰＵ１３は、有害文字情報データベース６１を有害文字情報サーバ６０から通信部１２を介して定期的に取得することにより、メモリ１８に記憶された有害文字情報データベース６１を定期的に（たとえば、２４時間間隔で）更新するように構成されている。
【００３３】
次に、図２および図３を参照して、本発明の一実施形態によるテレビジョン装置１０の表示部１４にコメント情報の切替表示が行われる際におけるＣＰＵ１３の処理フローについて説明する。このコメント情報の切替表示処理は、テレビジョン装置１０のユーザによるリモコン１７の操作（十字キー１７ａや決定キー１７ｂなどを用いた選択決定操作）によってコメント表示機能が呼び出された場合に、開始する。
【００３４】
まず、図３に示すように、ステップＳ１において、メモリ１８に有害文字情報データベース６１が記憶されているか否かが判断される。このステップＳ１における判断は、メモリ１８に有害文字情報データベース６１が記憶されていると判断されるまで繰り返される。そして、メモリ１８に有害文字情報データベース６１が記憶されていると判断された場合には、ステップＳ２に進む。
【００３５】
次に、ステップＳ２において、コメント情報サーバ５０から複数のコメント情報が取得される。このステップＳ２においては、たとえば、コメント情報サーバ５０によりランダムに抽出された２０個のコメント情報が通信部１２を介して取得される。
【００３６】
次に、ステップＳ３において、上記ステップＳ２においてコメント情報サーバ５０から取得された複数のコメント情報の中に、有害な文字情報を含むか否かを判断していない（後述するステップＳ６における判断の対象となっていない）コメント情報があるか否かが判断される。
【００３７】
ステップＳ３において、複数のコメント情報の中に有害な文字情報を含むか否かの判断の対象となっていないコメント情報がないと判断された場合には、ステップＳ４に進む。そして、ステップＳ４において、前回コメント情報サーバ５０からコメント情報を取得した時から一定時間（たとえば、２分）経過したか否かが判断される。このステップＳ４における判断は、前回コメント情報サーバ５０からコメント情報を取得した時から２分経過したと判断されるまで繰り返される。そして、前回コメント情報サーバ５０からコメント情報を取得した時から２分経過したと判断された場合には、上記ステップＳ２に戻り、コメント情報サーバ５０によりランダムに抽出された２０個のコメント情報が新たに取得される。
【００３８】
また、ステップＳ３において、複数のコメント情報の中に有害な文字情報を含むか否かの判断の対象となっていないコメント情報があると判断された場合には、ステップＳ５に進む。そして、ステップＳ５において、上記有害な文字情報を含むか否かの判断の対象となっていないコメント情報の中から、表示部１４に表示させるコメント情報が選択される。なお、このステップＳ５においては、投稿時刻の古いコメント情報から順番に表示部１４に表示させるコメント情報として選択される。
【００３９】
次に、ステップＳ６において、上記ステップＳ５において選択されたコメント情報が有害な文字情報を含むか否かが判断される。具体的には、上記ステップＳ５において選択されたコメント情報が、メモリ１８に記憶された有害文字情報データベース６１に登録された複数の有害な文字情報の各々と一致する文字情報を含んでいるか否かが判断される。
【００４０】
ステップＳ６においては、上記ステップＳ５において選択されたコメント情報が有害な文字情報を含むと判断された場合に、そのコメント情報の表示部１４への表示が行われず、上記ステップＳ３に戻る。一方、ステップＳ６においては、上記ステップＳ５において選択されたコメント情報が有害な文字情報を含まないと判断された場合に、ステップＳ７に進む。
【００４１】
ステップＳ７においては、コメント情報の切替表示が行われる。たとえば、図２（ａ）に示すように、コメント情報が表示部１４に現在表示されている場合には、図２（ｂ）に示すように、表示部１４に表示されているコメント情報が一旦非表示とされ、その後、図２（ｃ）に示すように、次のコメント情報（上記ステップＳ５において選択されたコメント情報）が表示部１４に表示される。そして、上記ステップＳ３に戻る。
【００４２】
なお、上記ステップＳ１〜Ｓ７で示したコメント情報の切替表示処理は、テレビジョン装置１０のユーザによるリモコン１７の操作（十字キー１７ａや決定キー１７ｂなどを用いた選択決定操作）によってコメント表示機能が終了された場合に、終了する。
【００４３】
次に、図４を参照して、本発明の一実施形態によるテレビジョン装置１０のメモリ１８に有害文字情報データベース６１の記憶（更新）が行われる際におけるＣＰＵ１３の処理フローについて説明する。この有害文字情報データベース６１の記憶（更新）処理は、テレビジョン装置１０のユーザによるリモコン１７の操作（十字キー１７ａや決定キー１７ｂなどを用いた選択決定操作）によってコメント表示機能が呼び出された場合に、開始する。
【００４４】
まず、図４に示すように、ステップＳ１１において、有害文字情報サーバ６０に格納された有害文字情報データベース６１が通信部１２を介して取得される。次に、ステップＳ１２において、有害文字情報サーバ６０から取得された有害文字情報データベース６１がメモリ１８に記憶される。なお、ステップＳ１２において、メモリ１８に有害文字情報データベース６１が既に記憶されていた場合には、既に記憶されていた有害文字情報データベース６１が新たな有害文字情報データベース６１（直近のステップＳ１１において取得された有害文字情報データベース６１）に更新される。
【００４５】
次に、ステップＳ１３において、前回有害文字情報データベース６１を有害文字情報サーバ６０から取得した時から一定時間（たとえば、２分）経過したか否かが判断される。このステップＳ１３における判断は、前回有害文字情報データベース６１を有害文字情報サーバ６０から取得した時から２分経過したと判断されるまで繰り返される。そして、前回有害文字情報データベース６１を有害文字情報サーバ６０から取得した時から２分経過したと判断された場合には、上記ステップＳ１１に戻り、有害文字情報サーバ６０から有害文字情報データベース６１が新たに取得される。
【００４６】
なお、上記ステップＳ１１〜Ｓ１３で示した有害文字情報データベース６１の更新処理は、テレビジョン装置１０のユーザによるリモコン１７の操作（十字キー１７ａや決定キー１７ｂなどを用いた選択決定操作）によってコメント表示機能が終了された場合に、終了する。
【００４７】
本実施形態では、上記のように、ＣＰＵ１３を、コメント情報サーバ５０から取得したコメント情報が有害な文字情報を含むか否かを判断するとともに、判断結果に基づいて、取得したコメント情報の表示部１４への表示を制限するように構成する。これにより、テレビジョン装置１０に設けられているＣＰＵ１３によって、有害な文字情報を含むコメント情報が表示部１４に表示されるのを制限することができるので、不特定多数の投稿者により投稿された全ての情報の内容をコメント情報サーバ５０にチェックさせる場合と異なり、コメント情報サーバ５０の負担が過度に増大することに起因してテレビジョン装置１０のユーザに適切なタイミングで情報が提供されなくなるのを抑制しながら、有害な情報のフィルタリングを行うことができる。また、このテレビジョン装置１０のＣＰＵ１３による有害な情報のフィルタリングは、コメント情報サーバ５０に投稿された情報の全てではなく、コメント情報サーバ５０から取得した情報のみを対象として行われるので、テレビジョン装置１０のＣＰＵ１３の負担が過度に増大することを抑制することもできる。
【００４８】
また、本実施形態では、上記のように、ＣＰＵ１３を、有害な文字情報が複数登録された有害文字情報データベース６１に基づいて、コメント情報サーバ５０から取得されたコメント情報が有害な文字情報を含むか否かを判断するように構成する。これにより、有害文字情報データベース６１により、コメント情報サーバ５０から取得されたコメント情報が有害な文字情報を含むか否かを容易に判断することができるので、有害な情報のフィルタリングを容易に行うことができる。
【００４９】
また、本実施形態では、上記のように、通信部１２を、有害文字情報データベース６１を格納する有害文字情報サーバ６０にインターネット４０を介して接続する。また、ＣＰＵ１３を、有害文字情報データベース６１を有害文字情報サーバ６０から通信部１２を介して取得するとともに、取得した有害文字情報データベース６１に基づいて、コメント情報サーバ５０から取得されたコメント情報が有害な文字情報を含むか否かを判断するように構成する。これにより、有害文字情報データベース６１を有害文字情報サーバ６０から通信部１２を介して取得することにより、有害文字情報データベース６１を手動で作成する場合と異なり、有害文字情報データベース６１を容易に入手することができる。
【００５０】
また、本実施形態では、上記のように、有害文字情報サーバ６０から取得された有害文字情報データベース６１を記憶するメモリ１８を設け、ＣＰＵ１３を、有害文字情報データベース６１を有害文字情報サーバ６０から通信部１２を介して定期的に取得することにより、メモリ１８に記憶された有害文字情報データベース６１を定期的に更新するように構成する。これにより、メモリ１８に記憶された有害文字情報データベース６１が定期的に更新されるので、有害文字情報データベース６１の内容が変化した場合であっても、その変化に対応した有害文字情報データベース６１を入手することができる。
【００５１】
また、本実施形態では、上記のように、ＣＰＵ１３を、表示部１４に現在表示されているコメント情報を切り替える際において、次に表示部１４に表示させるコメント情報が有害な文字情報を含むと判断した場合には、有害な文字情報を含むコメント情報を表示部１４に表示させない一方、次に表示部１４に表示させるコメント情報が有害な文字情報を含まないと判断した場合には、有害な文字情報を含まないコメント情報を表示部１４に表示させる制御を行うように構成する。これにより、コメント情報サーバ５０から取得された複数のコメント情報が順次切り替わりながら表示部１４に表示される際に、有害な文字情報を含むコメント情報は表示部１４に表示されない一方、有害な文字情報を含まないコメント情報は表示部１４に表示されるので、コメント情報サーバ５０から取得された複数のコメント情報のうち、有害な文字情報を含まないコメント情報のみを順次視覚的に認識することができる。
【００５２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５３】
たとえば、上記実施形態では、本発明の映像装置として、テレビジョン装置を用いる例を示したが、本発明はこれに限らない。たとえば、本発明の映像装置として、セットトップボックスや、図５に示す変形例のようなＢＤ（Ｂｌｕ−Ｒａｙ  Ｄｉｓｃ）レコーダ７０などを用いてもよい。
【００５４】
図５に示すように、上記実施形態の変形例によるＢＤレコーダ７０は、通信部７２と、ＣＰＵ７３と、ＢＤドライブ７４と、映像出力部７５と、リモコン受信部７６と、リモコン７７と、メモリ７８とを備えているとともに、表示部８１を有するテレビジョン装置８０に接続されている。この変形例によるＢＤプレーヤ７０は、上記実施形態によるテレビジョン装置１０と同様の機能を有している。具体的には、ＢＤプレーヤ７０は、ＢＤプレーヤ７０のユーザによるリモコン７７の操作（十字キー７７ａや決定キー７７ｂなどを用いた選択決定操作）に基づいて、コメント情報サーバ５０からコメント情報を取得するとともに、取得したコメント情報をテレビジョン装置８０の表示部８１に表示させる機能を有している。
【００５５】
また、この変形例によるＢＤプレーヤ７０のＣＰＵ７３は、コメント情報サーバ５０から取得したコメント情報をテレビジョン装置８０の表示部８１に表示させる際に、上記実施形態によるテレビジョン装置１０のＣＰＵ１３と同様の処理を行うように構成されている。すなわち、ＣＰＵ７３は、コメント情報サーバ５０から取得したコメント情報をテレビジョン装置８０の表示部８１に表示させる際に、コメント情報サーバ５０から取得したコメント情報が有害な文字情報を含むか否かを判断するとともに、判断結果に基づいて、コメント情報のテレビジョン装置８０の表示部８１への表示を制限するように構成されている。
【００５６】
また、上記実施形態では、有害な文字情報を含むコメント情報を表示部に表示させるテレビジョン装置を示したが、本発明はこれに限らない。本発明では、コメント情報に含まれる全ての文字情報のうち、有害な文字情報に該当する部分のみを表示部に表示させず、有害な文字情報に該当しない部分を表示部に表示させるテレビジョン装置としてもよい。
【００５７】
また、上記実施形態では、コメント情報サーバからランダムに抽出された複数のコメント情報を取得するとともに、取得した複数のコメント情報をテレビジョン放送と共に表示部に表示させるテレビジョン装置を示したが、本発明はこれに限らない。本発明では、コメント情報サーバに格納された複数のコメント情報が複数のカテゴリにカテゴリ分けされている場合に、それら複数のカテゴリ毎に取得した複数のコメント情報をテレビジョン放送と共に表示部に表示させるテレビジョン装置であってもよい。たとえば、ｔｗｉｔｔｅｒ（登録商標）サーバでは、上記のようなカテゴリ分けの手段として、「リスト」という機能などが実装されている。
【００５８】
また、上記実施形態では、２０個のコメント情報を２分間隔でコメント情報サーバから取得するテレビジョン装置を示したが、本発明はこれに限らない。本発明では、コメント情報サーバから取得するコメント情報の数を１９個以下としてもよいし、２１個以上としてもよい。また、コメント情報の取得間隔を２分間隔より短くしてもよいし、２分間隔より長くしてもよい。
【００５９】
また、上記実施形態では、図２に示すように、コメント情報サーバから取得した複数のコメント情報を１つずつ順次切り替えながら表示部に表示させるテレビジョン装置を示したが、本発明はこれに限らない。本発明では、表示部に順次切り替わりながら表示されるコメント情報が２つ以上であってもよい。
【符号の説明】
【００６０】
１０  テレビジョン装置（映像装置）
１１  放送受信部
１２  通信部
１３、７３  ＣＰＵ（制御部）
１４、８１  表示部
１８、７８  メモリ
４０  インターネット（ネットワーク）
５０  コメント情報サーバ
６０  有害文字情報サーバ
６１  有害文字情報データベース
７０  ＢＤプレーヤ（映像装置）
【図１】
2012175118.tif 000003
【図２】
2012175118.tif 000004
【図３】
2012175118.tif 000005
【図４】
2012175118.tif 000006
【図５】
2012175118.tif 000007